(57)【要約】【課題】  被検レンズの光学特性値の分布を容易に把握することが可能なレンズメータを提供する。【解決手段】  被検レンズＬに測定光を投射する照明光学系１００と、被検レンズＬを透過した測定光を受光する受光光学系１１０と、受光された測定光に基づいて被検レンズＬの光学特性値を算出する光学特性演算部２２と、算出された光学特性値に基づいて被検レンズＬの光学特性値の分布を表すマッピング画像を形成するマッピング形成部２４と、形成されたマッピング画像を表示する表示部３とを有するレンズメータであって、マッピング形成部２４により形成されたマッピング画像の表示部３による表示サイズを、被検レンズＬのサイズに合わせるように変更する表示サイズ変更部２５を備えている。【選択図】  図３
2006105868.tif 000002
【特許請求の範囲】
【請求項１】
被検レンズに測定光を投射する照明光学系と、前記被検レンズを透過した前記測定光を受光する受光光学系と、前記受光された前記測定光に基づいて前記被検レンズの光学特性値を算出する演算手段と、前記算出された前記光学特性値に基づいて前記被検レンズの前記光学特性値の分布を表すマッピング画像を形成するマッピング形成手段と、前記形成された前記マッピング画像を表示する表示手段とを有するレンズメータであって、
前記マッピング形成手段により形成された前記マッピング画像の前記表示手段による表示サイズを、前記被検レンズのサイズに合わせるように変更する表示サイズ変更手段を備えていることを特徴とするレンズメータ。
【請求項２】
前記受光光学系は、
前記被検レンズと所定の距離を介して配置され、前記被検レンズを透過した前記測定光を透過させる多数の開口部を有するハルトマンプレートと、
このハルトマンプレートと所定の距離を介して配置され、前記多数の開口部を透過した前記測定光により生成される多数の測定光が投影されるスクリーンと、
このスクリーンと共役に配置され、前記スクリーンを透過した前記多数の測定光を受光し電気信号に変換して出力する受光手段と、
を含み、
前記表示サイズ変更手段は、前記演算手段により算出された前記光学特性値を参照して、前記被検レンズ上に定義された座標と前記受光手段の受光面上に定義された座標との対応関係を求め、当該対応関係に基づいて前記マッピング画像の前記表示サイズを変更する、
ことを特徴とする請求項１に記載のレンズメータ。
【請求項３】
前記演算手段により算出される前記光学特性値はプリズム値を含み、
前記スクリーン上に定義された座標と前記受光手段の受光面上の前記座標との間の対応関係を表す第１の対応関係情報を含む表示サイズ変更情報をあらかじめ格納した格納手段を更に備え、
前記表示サイズ変更手段は、
前記演算手段により算出されたプリズム値を参照して、前記被検レンズ上の前記座標と前記ハルトマンプレート上に定義された座標との間の対応関係を表す第２の対応関係情報と、前記ハルトマンプレート上の前記座標と前記スクリーン上の前記座標との間の対応関係を表す第３の対応関係情報と、を求め、
前記格納手段に格納された前記表示サイズ変更情報の前記第１の対応関係情報と、前記求められた前記第２の対応関係情報及び第３の対応関係情報と、に基づいて、前記被検レンズ上の前記座標と前記受光手段の受光面上の前記座標との対応関係を求める、
ことを特徴とする請求項２に記載のレンズメータ。
【請求項４】
前記被検レンズは、眼鏡フレームに装着された左右の眼鏡レンズであり、
前記演算手段は、前記左右の眼鏡レンズの光学特性値をそれぞれ算出し、
前記マッピング形成手段は、前記算出された前記光学特性値に基づいて、前記左右の眼鏡レンズの前記光学特性値のマッピング画像をそれぞれ形成し、
前記表示サイズ変更手段は、前記形成された前記左右の眼鏡レンズのマッピング画像の前記表示サイズを、前記左右の眼鏡レンズのサイズに合わせるようにそれぞれ変更し、
前記左右の眼鏡レンズに対応する瞳孔間距離を入力するＰＤ入力手段と、
前記表示サイズが変更された前記左右の眼鏡レンズの前記マッピング画像を、前記入力された前記瞳孔間距離に応じた距離を介するように配列させる左右画像配列手段と、
を更に備え、
前記表示手段は、前記左右画像配列手段により配列された前記左右の眼鏡レンズの前記マッピング画像を表示する、
ことを特徴とする請求項１ないし請求項３のいずれか一項に記載のレンズメータ。
【請求項５】
被検レンズに測定光を投射する照明光学系と、前記被検レンズを透過した前記測定光を受光する受光光学系と、前記受光された前記測定光に基づいて前記被検レンズの光学特性値を算出する演算手段と、前記算出された前記光学特性値に基づいて前記被検レンズの前記光学特性値のマッピング画像を形成するマッピング形成手段と、前記形成された前記マッピング画像を印刷する印刷手段とを有するレンズメータであって、
前記マッピング形成手段により形成された前記マッピング画像の前記印刷手段による印刷サイズを、前記被検レンズのサイズに合わせるように変更する印刷サイズ変更手段を備えていることを特徴とするレンズメータ。
【請求項６】
前記受光光学系は、
前記被検レンズと所定の距離を介して配置され、前記被検レンズを透過した前記測定光を透過させる多数の開口部を有するハルトマンプレートと、
このハルトマンプレートと所定の距離を介して配置され、前記多数の開口部を透過した前記測定光により生成される多数の測定光が投影されるスクリーンと、
このスクリーンと共役に配置され、前記スクリーンを透過した前記多数の測定光を受光し電気信号に変換して出力する受光手段と、
を含み、
前記印刷サイズ変更手段は、前記演算手段により算出された前記光学特性値を参照して、前記被検レンズ上に定義された座標と前記受光手段の受光面上に定義された座標との対応関係を求め、当該対応関係に基づいて前記マッピング画像の前記印刷サイズを変更する、
ことを特徴とする請求項５に記載のレンズメータ。
【請求項７】
前記演算手段により算出される前記光学特性値はプリズム値を含み、
前記スクリーン上に定義された座標と前記受光手段の受光面上の前記座標との間の対応関係を表す第１の対応関係情報を含む印刷サイズ変更情報をあらかじめ格納した格納手段を更に備え、
前記印刷サイズ変更手段は、
前記演算手段により算出されたプリズム値を参照して、前記被検レンズ上の前記座標と前記ハルトマンプレート上に定義された座標との間の対応関係を表す第２の対応関係情報と、前記ハルトマンプレート上の前記座標と前記スクリーン上の前記座標との間の対応関係を表す第３の対応関係情報と、を求め、
前記格納手段に格納された前記印刷サイズ変更情報の前記第１の対応関係情報と、前記求められた前記第２の対応関係情報及び第３の対応関係情報とに基づいて、前記被検レンズ上の前記座標と前記受光手段の受光面上の前記座標との対応関係を求める、
ことを特徴とする請求項６に記載のレンズメータ。
【請求項８】
前記被検レンズは、眼鏡フレームに装着された左右の眼鏡レンズであり、
前記演算手段は、前記左右の眼鏡レンズの光学特性値をそれぞれ算出し、
前記マッピング形成手段は、前記算出された前記光学特性値に基づいて、前記左右の眼鏡レンズの前記光学特性値のマッピング画像をそれぞれ形成し、
前記印刷サイズ変更手段は、前記形成された前記左右の眼鏡レンズのマッピング画像の前記印刷サイズを、前記左右の眼鏡レンズのサイズに合わせるようにそれぞれ変更し、
前記左右の眼鏡レンズに対応する瞳孔間距離を入力するＰＤ入力手段と、
前記印刷サイズが変更された前記左右の眼鏡レンズの前記マッピング画像を、前記入力された前記瞳孔間距離に応じた距離を介するように配列させる左右画像配列手段と、
を更に備え、
前記印刷手段は、前記左右画像配列手段により配列された前記左右の眼鏡レンズの前記マッピング画像を印刷する、
ことを特徴とする請求項５ないし請求項７のいずれか一項に記載のレンズメータ。
【発明の詳細な説明】
【技術分野】
【０００１】
本発明は、眼鏡レンズの光学特性値（屈折特性値）を測定するためのレンズメータに関し、特に、測定した光学特性値の分布をマッピング表示する機能を備えたレンズメータに関するものである。
【背景技術】
【０００２】
レンズメータは、眼鏡レンズの球面度数、円柱度数（乱視度数）、円柱軸角度（乱視軸角度）、プリズム値（プリズム度数及びプリズム基底方向）等の光学特性値を測定するための装置である。下記の特許文献１は、従来のレンズメータの構成を開示している。
【０００３】
当該文献に記載のレンズメータは、測定した光学特性値の分布をマッピング表示する機能を備えたレンズメータの一例として、測定光束投影光学系からの測定光束を被検レンズに投影すると共に前記被検レンズを透過した測定光束を受光光学系の受光手段で受光させる測定光学系と、前記受光光学系の受光手段からの測定信号を処理して前記被検レンズの多数の点における座標及び屈折特性値を求める処理手段と、前記座標及び屈折特性値を対応させて記憶する記憶手段と、前記処理手段により算出された屈折特性値を表示させる表示手段を備えるレンズメータであって、前記処理手段は、前記被検レンズが累進多焦点レンズである場合に、前記被検レンズの多数の点の円柱度数から遠用部の円柱度数を差し引いた円柱度数が所定値以上となる境界線を求めて前記表示手段に表示させると共に、前記被検レンズの多数の点の円柱度数が設定値以下で且つ前記座標の球面度数が小さい側において略同じ度数（許容範囲の度数）で且つ所定以上の広さの範囲を求めて遠用範囲として、前記求めた遠用範囲を前記表示手段に表示させるように構成されたレンズメータが記載されている。また、当該文献には、累進多焦点レンズの近用範囲を同様の手法にて表示させるように構成されている。
【０００４】
この特許文献１のレンズメータは、眼鏡レンズの光学特性値の分布をバー表示又はワイヤフレーム表示することでマッピング表示させるようになっている。
【０００５】
特許文献１に記載のレンズメータは、単一の眼鏡レンズを測定するものであるが、眼鏡フレームに装着された左右の眼鏡レンズを個別に測定するために左右一対の光学系を搭載したレンズメータも開発されている（例えば特許文献２参照）。
【０００６】
ところで、レンズメータは、従来、一度に測定可能な領域（測定エリア）の小さなものが主であったが、近年では大きな測定エリアを有するものが提案されている。
【０００７】
特許文献３には、大きな測定エリアを有するレンズメータの一例として、測定光束発生用の光源を備え、測定光束の投光光路に眼鏡レンズの狭域特性測定用の中央パターンと眼鏡レンズの広域特性測定用の多数の周辺パターンとを有するパターン形成板が設けられ、前記眼鏡レンズの狭域を透過した透過測定光束に基づく中央パターン像を受像しかつ狭域のみを測定して測定値を表示する通常測定モードと、前記眼鏡レンズの広域を透過した透過測定光束に基づく多数の周辺パターン像を受像しかつ広域（大きな測定エリア）を測定してマッピング表示を行う広域測定モードとの間で切換可能に構成されたレンズメータが開示されている。このレンズメータでは、眼鏡レンズの光学特性値の分布を等度数線（等しい度数の箇所を等高線のように結んで得られる線）を用いてマッピング表示させるようになっている。
【０００８】
マッピング機能を備えるレンズメータは、特許文献１、３にも記載のように、累進多焦点レンズの光学特性分布を表示可能とされているのが通常である。一般に、累進多焦点レンズには、遠方視用の遠用部と、近方視用の近用部と、遠用部及び近用部の間において度数が連続的に変化する累進帯と、非点収差が介在する歪み領域とが設けられている（例えば、特許文献１の明細書段落［００２６］、第４図参照）。このように複雑な光学特性分布を有する累進多焦点レンズを被検者に適正に処方するためには、その光学特性分布を詳細に知ることが非常に重要である。
【０００９】
測定エリアが小さいレンズメータでは、被検レンズを移動させて測定位置を変更しながら複数の測定を行うことにより、その光学特性値の分布を取得してマッピング表示を行うようになっている（例えば、特許文献１の明細書段落［００２９］、［００３０］、［００３４］、［００３５］参照）。
【００１０】
一方、大きな測定エリアを有するレンズメータにおいては、被検レンズを移動させなくても当該レンズの広域の光学特性値の分布を取得してマッピング表示を行うことができる。
【００１１】
しかし、前述したように、累進多焦点レンズの測定においては、遠用部、近用部、累進帯等の詳細な位置を知ることが重要であるが、マッピング表示のサイズと実際のレンズのサイズとが異なるため、遠用部等がレンズのどの位置にあるのかを正確に把握することは困難であった。すなわち、マッピング表示は、遠用部等の形状については明確に表しているが、そのサイズについては実際の遠用部等の拡大表示又は縮小表示となっているため、実際のレンズにおける遠用部等の位置を正確に把握するには、検者がそれらのサイズ差（相似比）を考慮しなければならなかった。
【００１２】
また、マッピングを印刷出力して実際のレンズの光学特性分布を確認することもあるが、その場合にも、印刷されたマッピング画像のサイズが実際のレンズのサイズと異なるため、その光学特性分布を把握することは困難であった。
【００１３】
【特許文献１】特開２００２−９８６１６号公報（請求項１、明細書段落［００２６］、［００２９］、［００３０］、［００３４］、［００３５］、［００４８］、第４図、第９図、第１５図）
【特許文献２】特開２００４−４５２０４号公報（明細書段落［００１５］〜［００２３］、第１図、第５図）
【特許文献３】特開平１０−１０４１２０号公報（請求項１、明細書段落［０００１］）
【発明の開示】
【発明が解決しようとする課題】
【００１４】
本発明は、そのような事情に鑑みてなされたもので、被検レンズの光学特性値の分布を容易に把握することが可能なレンズメータを提供することを目的としている。
【課題を解決するための手段】
【００１５】
上記目的を達成するために、請求項１に記載の発明は、被検レンズに測定光を投射する照明光学系と、前記被検レンズを透過した前記測定光を受光する受光光学系と、前記受光された前記測定光に基づいて前記被検レンズの光学特性値を算出する演算手段と、前記算出された前記光学特性値に基づいて前記被検レンズの前記光学特性値の分布を表すマッピング画像を形成するマッピング形成手段と、前記形成された前記マッピング画像を表示する表示手段とを有するレンズメータであって、前記マッピング形成手段により形成された前記マッピング画像の前記表示手段による表示サイズを、前記被検レンズのサイズに合わせるように変更する表示サイズ変更手段を備えていることを特徴とする。
【００１６】
また、請求項２に記載の発明は、請求項１に記載のレンズメータであって、前記受光光学系は、前記被検レンズと所定の距離を介して配置され、前記被検レンズを透過した前記測定光を透過させる多数の開口部を有するハルトマンプレートと、このハルトマンプレートと所定の距離を介して配置され、前記多数の開口部を透過した前記測定光により生成される多数の測定光が投影されるスクリーンと、このスクリーンと共役に配置され、前記スクリーンを透過した前記多数の測定光を受光し電気信号に変換して出力する受光手段と、を含み、前記表示サイズ変更手段は、前記演算手段により算出された前記光学特性値を参照して、前記被検レンズ上に定義された座標と前記受光手段の受光面上に定義された座標との対応関係を求め、当該対応関係に基づいて前記マッピング画像の前記表示サイズを変更する、ことを特徴とする。
【００１７】
また、請求項３に記載の発明は、請求項２に記載のレンズメータであって、前記演算手段により算出される前記光学特性値はプリズム値を含み、前記スクリーン上に定義された座標と前記受光手段の受光面上の前記座標との間の対応関係を表す第１の対応関係情報を含む表示サイズ変更情報をあらかじめ格納した格納手段を更に備え、前記表示サイズ変更手段は、前記演算手段により算出されたプリズム値を参照して、前記被検レンズ上の前記座標と前記ハルトマンプレート上に定義された座標との間の対応関係を表す第２の対応関係情報と、前記ハルトマンプレート上の前記座標と前記スクリーン上の前記座標との間の対応関係を表す第３の対応関係情報と、を求め、前記格納手段に格納された前記表示サイズ変更情報の前記第１の対応関係情報と、前記求められた前記第２の対応関係情報及び第３の対応関係情報と、に基づいて、前記被検レンズ上の前記座標と前記受光手段の受光面上の前記座標との対応関係を求める、ことを特徴とする。
【００１８】
また、請求項４に記載の発明は、請求項１ないし請求項３のいずれか一項に記載のレンズメータであって、前記被検レンズは、眼鏡フレームに装着された左右の眼鏡レンズであり、前記演算手段は、前記左右の眼鏡レンズの光学特性値をそれぞれ算出し、前記マッピング形成手段は、前記算出された前記光学特性値に基づいて、前記左右の眼鏡レンズの前記光学特性値のマッピング画像をそれぞれ形成し、前記表示サイズ変更手段は、前記形成された前記左右の眼鏡レンズのマッピング画像の前記表示サイズを、前記左右の眼鏡レンズのサイズに合わせるようにそれぞれ変更し、前記左右の眼鏡レンズに対応する瞳孔間距離を入力するＰＤ入力手段と、前記表示サイズが変更された前記左右の眼鏡レンズの前記マッピング画像を、前記入力された前記瞳孔間距離に応じた距離を介するように配列させる左右画像配列手段と、前記表示手段は、前記左右画像配列手段により配列された前記左右の眼鏡レンズの前記マッピング画像を表示する、ことを特徴とする。
【００１９】
また、請求項５に記載の発明は、被検レンズに測定光を投射する照明光学系と、前記被検レンズを透過した前記測定光を受光する受光光学系と、前記受光された前記測定光に基づいて前記被検レンズの光学特性値を算出する演算手段と、前記算出された前記光学特性値に基づいて前記被検レンズの前記光学特性値のマッピング画像を形成するマッピング形成手段と、前記形成された前記マッピング画像を印刷する印刷手段とを有するレンズメータであって、前記マッピング形成手段により形成された前記マッピング画像の前記印刷手段による印刷サイズを、前記被検レンズのサイズに合わせるように変更する印刷サイズ変更手段を備えていることを特徴とする。
【００２０】
また、請求項６に記載の発明は、請求項５に記載のレンズメータであって、前記受光光学系は、前記被検レンズと所定の距離を介して配置され、前記被検レンズを透過した前記測定光を透過させる多数の開口部を有するハルトマンプレートと、このハルトマンプレートと所定の距離を介して配置され、前記多数の開口部を透過した前記測定光により生成される多数の測定光が投影されるスクリーンと、このスクリーンと共役に配置され、前記スクリーンを透過した前記多数の測定光を受光し電気信号に変換して出力する受光手段と、を含み、前記印刷サイズ変更手段は、前記演算手段により算出された前記光学特性値を参照して、前記被検レンズ上に定義された座標と前記受光手段の受光面上に定義された座標との対応関係を求め、当該対応関係に基づいて前記マッピング画像の前記印刷サイズを変更する、ことを特徴とする。
【００２１】
また、請求項７に記載の発明は、請求項６に記載のレンズメータであって、前記演算手段により算出される前記光学特性値はプリズム値を含み、前記スクリーン上に定義された座標と前記受光手段の受光面上の前記座標との間の対応関係を表す第１の対応関係情報を含む印刷サイズ変更情報をあらかじめ格納した格納手段を更に備え、前記印刷サイズ変更手段は、前記演算手段により算出されたプリズム値を参照して、前記被検レンズ上の前記座標と前記ハルトマンプレート上に定義された座標との間の対応関係を表す第２の対応関係情報と、前記ハルトマンプレート上の前記座標と前記スクリーン上の前記座標との間の対応関係を表す第３の対応関係情報と、を求め、前記格納手段に格納された前記印刷サイズ変更情報の前記第１の対応関係情報と、前記求められた前記第２の対応関係情報及び第３の対応関係情報とに基づいて、前記被検レンズ上の前記座標と前記受光手段の受光面上の前記座標との対応関係を求める、ことを特徴とする。
【００２２】
また、請求項８に記載の発明は、請求項５ないし請求項７のいずれか一項に記載のレンズメータであって、前記被検レンズは、眼鏡フレームに装着された左右の眼鏡レンズであり、前記演算手段は、前記左右の眼鏡レンズの光学特性値をそれぞれ算出し、前記マッピング形成手段は、前記算出された前記光学特性値に基づいて、前記左右の眼鏡レンズの前記光学特性値のマッピング画像をそれぞれ形成し、前記印刷サイズ変更手段は、前記形成された前記左右の眼鏡レンズのマッピング画像の前記印刷サイズを、前記左右の眼鏡レンズのサイズに合わせるようにそれぞれ変更し、前記左右の眼鏡レンズに対応する瞳孔間距離を入力するＰＤ入力手段と、前記印刷サイズが変更された前記左右の眼鏡レンズの前記マッピング画像を、前記入力された前記瞳孔間距離に応じた距離を介するように配列させる左右画像配列手段と、前記印刷手段は、前記左右画像配列手段により配列された前記左右の眼鏡レンズの前記マッピング画像を印刷する、ことを特徴とする。
【発明の効果】
【００２３】
請求項１〜請求項４に記載の本発明のレンズメータによれば、被検レンズの光学特性値の分布を表すマッピング画像の表示サイズを当該被検レンズのサイズに合わせるように変更する表示サイズ変更手段を備えているので、表示手段に表示されるマッピング画像は、被検レンズの実際のサイズと同等のサイズとなる。したがって、表示されたマッピング画像に被検レンズを重ねるようにして配置させることにより、当該被検レンズの光学特性値の分布を容易に把握できる。
【００２４】
特に、請求項４に記載の本発明のレンズメータによれば、眼鏡フレームに装着された左右の眼鏡レンズのそれぞれのマッピング画像を、実物と同等のサイズで、かつ、実物と同等の間隔を介して左右に並べて表示できる。したがって、眼鏡フレームに装着された状態の左右の眼鏡レンズを、表示された左右のマッピング画像に重ねるようにして配置させることにより、左右の眼鏡レンズの光学特性値の分布を容易に把握することができる。
【００２５】
また、請求項５〜請求項８に記載の本発明のレンズメータによれば、被検レンズの光学特性値の分布を表すマッピング画像の印刷サイズを当該被検レンズのサイズに合わせるように変更する印刷サイズ変更手段を備えているので、印刷手段により印刷されるマッピング画像は、被検レンズの実際のサイズと同等のサイズとなる。したがって、印刷されたマッピング画像に被検レンズを重ねるようにして配置させることにより、当該被検レンズの光学特性値の分布を容易に把握できる。
【００２６】
特に、請求項８に記載のレンズメータによれば、眼鏡フレームに装着された左右の眼鏡レンズのそれぞれのマッピング画像を、実物と同等のサイズで、かつ、実物と同等の間隔を介して左右に並べて印刷できる。したがって、眼鏡フレームに装着された状態の左右の眼鏡レンズを、表示された左右のマッピング画像に重ねるようにして配置させることにより、左右の眼鏡レンズの光学特性値の分布を容易に把握することができる。
【発明を実施するための最良の形態】
【００２７】
本発明に係るレンズメータの好適な実施の形態の一例について、図面を適宜参照しながら詳細に説明する。
【００２８】
〈第１の実施形態〉
［外観構成］
図１は、本発明に係るレンズメータ１の外観構成を表している。このレンズメータ１の本体２の前面上部には、液晶ディスプレイ（ＬＣＤ）やＣＲＴ等の表示部３が設けられている。表示部３の表示画面３ａには、被検レンズＬの光学特性値の分布を表すマッピング画像や、被検レンズＬの光学特性値（球面度数、円柱度数、円柱軸角度、プリズム度数、プリズム基底方向等）などが表示される。この表示部３は、本発明にいう「表示手段」を構成している。
【００２９】
表示部３の下方には、被検レンズの光学特性値を測定するための各種光学部材を収納する光学部材収納部４、５が上下に配置されている。
【００３０】
光学部材収納部５の上端部には、被検レンズＬが載置されるレンズ受け１３が取り付けられたレンズ受けテーブル６が設けられている。レンズ受け１３は、透明ガラスや透明樹脂等からなる平板状の透明板１３ａと、この透明板１３ａの中央部を介して上方に突設されたレンズ支持部１３ｂとを備えている。なお、詳細は後述するが、レンズ支持部１３ｂの下端は、ハルトマンプレートに接続されている。レンズ支持部１３ｂは、被検レンズＬとハルトマンプレートとの間の距離を一定に保持するように作用する。
【００３１】
また、レンズ支持部１３ｂの後方の本体２前面には、その位置を前後に調整可能に保持されたレンズ当て７が設けられている。このレンズ当て７は、操作レバー８を回動操作することにより前後に移動されるようになっている。
【００３２】
レンズ当て７の上縁部には、水平方向に移動可能に支持されたスライダ９ａが設けられており、このスライダ９ａの先端には鼻当て支持部材９が上下に回動可能に接続されている。
【００３３】
ここで、被検レンズＬとしては、円形の未加工レンズや眼鏡用に研削加工されたレンズ、或いは眼鏡フレームに枠入れされたレンズ等が適用される。眼鏡に枠入れされたレンズの測定を行う場合、当該眼鏡の鼻当てを鼻当て支持部材９に係合配置させ、その状態で当該眼鏡と鼻当て支持部材９をスライダ９ａとともに左右に移動させて左右方向の位置を調整しつつ下方に変位させることで、当該レンズをレンズ支持部１３ａ上に配置させる。
【００３４】
本体２には、測定モードを切り換えるためのモード切換ボタン１０や、測定の開始や停止等の操作を行うための測定ボタン１１など、各種操作用のボタンやスイッチが設けられている。
【００３５】
［光学系の構成］
図２は、レンズメータ１が備える光学特性値測定用の光学系の構成を表す。同図は、レンズ支持部１３ｂに被検レンズＬが載置されて測定可能とされた状態を示している。当該光学系は、従来と同様の構成を有しており、本体２の光学部材収納部４、５に収納されている。
【００３６】
レンズメータ１の光学系は、上方の光学部材収納部４に収納された照明光学系１００と、光学部材収納部５に収納された受光光学系１１０とを有している。
【００３７】
照明光学系１００は、被検レンズＬに対して測定光を投射する光学系であって、測定光を出射する光源としてのＬＥＤ（発光ダイオード）１０１と、このＬＥＤ１０１からの測定光を平行光にして被検レンズＬに投射するコリメータレンズ１０２とを含んで構成されている。
【００３８】
また、受光光学系１１０は、ハルトマンプレート１１１、スクリーン１１２、フィールドレンズ（視野レンズ）１１３、結像レンズ１１４及びＣＣＤ（Ｃｈａｒｇｅ  Ｃｏｕｐｌｅｄ  Ｄｅｖｉｓｅ）１１５を含んで構成されている。スクリーン１１２とＣＣＤ１１５とは、互いに光学的に共役な位置に配置されている。
【００３９】
ハルトマンプレート１１１には、図３に示すように、縦横に（２次元的に）等間隔に配置された多数の円形の開口部１１１ａが形成されている。開口部１１１ａは、例えば２ミリメートル間隔で縦横に配列されている。被検レンズＬを透過した測定光は、ハルトマンプレート１１１を経由することにより、開口部１１１ａを透過した多数の測定光に変換される。
【００４０】
スクリーン１１２には、ハルトマンプレート１１１の開口部１１１ａを透過した多数の測定光が投影される。多数の測定光のそれぞれは、被検レンズＬの光学特性値に応じてスクリーン１１２における投影位置が変位される。それにより、この多数の測定光のスクリーン１１２上における投影パターンが縮小／拡大されたり歪んだりすることとなる。レンズメータ１は、当該多数の測定光の投影パターンを解析することにより被検レンズＬの光学特性値を求めるように構成された装置である。
【００４１】
スクリーン１１２に投影された多数の測定光は、スクリーン１１２を透過し、フィールドレンズ１１３と結像レンズ１１４とを介して、スクリーン１１２と共役に配置されたＣＣＤ１１５に結像される。
【００４２】
ＣＣＤ１１５は、この多数の測定光を受光して電気信号（画像信号）に変換して出力する。この画像信号には、受光した多数の測定光のそれぞれについての受光位置及び受光像の形状を示す情報が含まれている。この情報は、ＣＣＤ１１５の各画素の位置（座標）として表現される。なお、このＣＣＤ１１５は、本発明にいう「受光手段」を構成している。
【００４３】
ハルトマンプレート１１１上には、２次元座標が定義されている。この２次元座標の原点は、例えばハルトマンプレート１１１の中心や一頂点など任意の位置に設定することができる。このハルトマンプレート１１１上の座標と同様の座標がスクリーン１１２上にも定義される。更に、レンズ支持部１３ｂに載置された被検レンズＬの裏面（レンズ支持部１３ｂへの当接面）にも同様の座標が定義される。また、ＣＣＤ１１５の受光面上にも座標が定義されている。これらの座標の間の対応関係については後述する。
【００４４】
［制御系の構成］
図４は、レンズメータ１の制御系の構成を表している。レンズメータ１は、上述のように、ハルトマンプレート１１１により生成された多数の測定光のスクリーン１１２上での投影パターンに基づいて、換言すればＣＣＤ１１５の受光面上における当該多数の測定光の配置状態に基づいて、被検レンズＬの光学特性値を求めるように構成された装置である。図４に示す制御系は、このようなレンズメータ１の各部の動作を制御するとともに、被検レンズＬの光学特性値の算出処理、更には、算出された光学特性値の表示部３による表示処理などを実行するための構成を備えている。
【００４５】
レンズメータ１の制御系は、ＣＰＵ（Ｃｅｎｔｒａｌ  Ｐｒｏｃｅｓｓｉｎｇ  Ｕｎｉｔ）２０と、ＲＯＭ（Ｒｅａｄ  Ｏｎｌｙ  Ｍｅｍｏｒｙ）等からなるプログラム格納部３０と、イメージメモリ等からなる画像記憶部４０とを含んで構成される。なお、プログラム格納部３０は、詳細については後述するが、本発明にいう「格納手段」を構成している。
【００４６】
〔ＣＰＵ〕
ＣＰＵ２０は、プログラム格納部３０に格納された制御プログラムを例えばＲＡＭ（Ｒａｎｄｏｍ  Ａｃｃｅｓｓ  Ｍｅｍｏｒｙ：図示省略）上に展開することにより、装置各部の動作制御や光学特性値の算出処理などを実行する。ＣＰＵ２０は、この制御プログラムにしたがって、制御部２１、光学特性演算部２２及び表示制御部２３として動作するようになっている。
【００４７】
（制御部）
制御部２１は、レンズメータ１の装置各部の動作を制御する処理を行う。例えば、制御部２１は、照明光学系１００のＬＥＤ１０１の点灯／消灯動作の制御、ＣＣＤ１１５からの画像信号や表示制御部２３にて形成されるマッピング画像等の画像記憶部４０への記憶処理／読出処理などを行う。
【００４８】
（光学特性演算部）
光学特性演算部２２は、ＣＣＤ１１５から出力された画像信号に基づいて、被検レンズＬの各部の球面度数、円柱度数、円柱軸角度、プリズム度数、プリズム基底方向等の光学特性値を算出する処理を行う。この光学特性演算部２２は、本発明にいう「演算手段」を構成するものであり、これらの光学特性値のうち少なくともプリズム度数及びプリズム基底方向（まとめてプリズム値と呼ぶことがある）を算出する。
【００４９】
光学特性演算部２２による光学特性値の算出処理は、従来のレンズメータと同様に次のようにして実行される。そのために、レンズメータ１は、被検レンズＬが載置されていない状態において、ハルトマンプレート１１１により生成される多数の測定光のそれぞれについて、ＣＣＤ１１５の受光面における受光位置（座標）を示すデータや、各測定光の受光像（受光点）の形状を示すデータなどをあらかじめ備えている（これらのデータを基準データと呼ぶこととする）。この基準データは、例えば、プログラム格納部３０内の制御プログラムに格納されている。
【００５０】
被検レンズＬの測定が行われると、光学特性演算部２２は、ＣＣＤ１１５からの画像信号に含まれる各測定光の受光位置及び受光像の形状を解析して取得し、上記基準データと比較することにより、被検レンズＬの各部の光学特性値を求める。
【００５１】
より詳しく説明すると、光学特性演算部２２は、例えば、ＣＣＤ１１５による測定光の受光像のサイズを基準データと比較することにより、当該測定光が被検レンズＬを透過した位置（測定位置）における球面度数を算出する。また、受光点の配置が基準データと相似形になっている場合には、当該測定位置における円柱度数を０Ｄ（ディオプタ）とし、一方、受光点の配置が基準データに対し非相似形に変形されている場合には、その変形状態から当該測定位置の円柱度数を算出するとともに、その変形方向から円柱軸方向を求める。また、ＣＣＤ１５による測定光の受光位置が基準データに示す受光位置から変位している場合には、その変位量及び変位方向に基づいて当該測定位置におけるプリズム値（プリズム度数及びプリズム基底方向）を算出する。
【００５２】
制御部２１は、光学特性演算部２２により算出された被検レンズＬの光学特性値を、例えばＣＣＤ１１５の受光面上の座標と関連付けて画像記憶部４０に記憶させる。
【００５３】
（表示制御部）
表示制御部２３は、表示部３に各種画像を表示させるための制御を行う。表示制御部２３は、ＣＣＤ１１５の受光面上の座標と表示部３の表示画面３ａ上の座標とを関連付ける情報をあらかじめ備えており、この情報に基づいてＣＣＤ１１５による受光像を表示部３に表示させるようになっている。
【００５４】
表示制御部２３には、被検レンズＬの光学特性値の分布を表すマッピング画像を形成する処理を行うマッピング形成部２４と、このマッピング画像の表示部３における表示サイズを被検レンズＬの実際のサイズに合わせるように変更する処理を行う表示サイズ変更部２５とを含んでいる。
【００５５】
（マッピング形成部）
マッピング形成部２４は、本発明にいう「マッピング形成手段」を構成するもので、従来と同様に、光学特性演算部２２により算出された被検レンズＬの各測定位置の光学特性値に基づいて、被検レンズＬの光学特性値の分布を表すマッピング画像（の画像データ）を形成する。このマッピング形成部２４により形成されるマッピング画像は、例えば、従来のように、光学特性値が等しい測定位置を（あたかも等高線のように）結んだ等度数線を用いた表示態様が適用される。
【００５６】
なお、従来のレンズメータでは、マッピング形成部２４により形成されたマッピング画像を表示部３にそのまま表示させていた。一方、本実施形態のレンズメータ１は、形成されたマッピング画像の表示サイズを被検レンズＬの実際のサイズに合わせるように変更する処理を施してから表示させる点を特徴としている。
【００５７】
（表示サイズ変更部）
表示サイズ変更部２５は、本発明にいう「表示サイズ変更手段」を構成するものであり、マッピング形成部２４により形成されたマッピング画像の表示部３における表示サイズを、被検レンズＬの実際のサイズに合わせるように変更する処理を行う。そのために、表示サイズ変更部２５は、ＣＣＤ１１５の受光面における測定光の受光位置の座標と、その測定光が被検レンズＬを透過した位置の座標（上述の測定位置の座標）との対応関係を算出する。すなわち、多数の測定光のＣＣＤ１１５における受光位置の配列パターンと、この多数の測定光に対応する被検レンズＬの測定位置の配列パターンとの間の対応関係を求める。
【００５８】
ところで、前述のように、光学特性演算部２２によって算出された光学特性値は、ＣＣＤ１１５の受光面上の座標と関連付けて記憶されている。また、ＣＣＤ１１５とスクリーン１１２とは光学的に共役に配置されていることから、ＣＣＤ１１５の受光面上の座標とスクリーン１１２上の座標との対応関係は、フィールドレンズ１１３及び結像レンズ１１４の光学特性に基づいて定められる（設計事項として既知である）。
【００５９】
したがって、図２に示す受光光学系１１０の構成から分かるように、ＣＣＤ１１５の受光面上に定義される座標と被検レンズＬ上に定義される座標との対応関係を取得するためには、被検レンズＬ上の座標とハルトマンプレート１１１上の座標との対応関係、及び、ハルトマンプレート１１１上の座標とスクリーン１１２上の座標との間の対応関係とを把握できればよい。すなわち、被検レンズＬ上の座標⇔ハルトマンプレート１１１上の座標⇔スクリーン１１２上の座標⇔ＣＣＤ１１５上の各対応関係が把握されれば、ＣＣＤ１１５上と被検レンズＬ上との間での座標変換が可能となり、それにより、多数の測定光のＣＣＤ１１５における受光位置の配列パターンと、この多数の測定光に対応する被検レンズＬの測定位置の配列パターンとの間の対応関係を求めることができる。
【００６０】
さて、次の［数１］の数式は、被検レンズＬ上の座標とハルトマンプレート１１１上の座標との対応関係を示すもので、ハルトマンプレート１１１上の任意の座標（ｘｈ、ｙｈ）に対応する被検レンズＬ裏面の座標（ｘＬ、ｙＬ）を表している。また、（ｐｘ、ｐｙ）は、光学特性演算部２２により算出される座標（ｘｈ、ｙｈ）に対応する被検レンズＬの測定位置におけるプリズム度数を表しており、ｄは、レンズ支持部１３ｂの長さ、すなわち被検レンズＬの裏面とハルトマンプレート１１１との間の距離を表している。
【００６１】
【数１】
2006105868.tif 000003
【００６２】
また、次の［数２］の数式は、ハルトマンプレート１１１上の座標とスクリーン１１２上の座標との対応関係を示すもので、ハルトマンプレート１１１上の任意の座標（ｘｈ、ｙｈ）に対応するスクリーン１１２上の座標（ｘＳ、ｙＳ）を表している。なお、（ｐｘ、ｐｙ）は、式（１）と同様に座標（ｘｈ、ｙｈ）に対応するプリズム度数を表しており、Ｄは、ハルトマンプレート１１１とスクリーン１１２との間の距離を表している。
【００６３】
【数２】
2006105868.tif 000004
【００６４】
表示サイズ変更部２５は、（ｉ）光学特性演算部２２により算出される被検レンズＬの各測定位置におけるプリズム値、及び、ＣＣＤ１１５の受光面上における各測定光の受光位置の座標と、（ii）ＣＣＤ１１５の受光面上の座標とスクリーン１１２上の座標の既知の対応関係と、（iii）上記の式（１）に基づいて得られる被検レンズＬの裏面の座標とハルトマンプレート１１１上の座標との対応関係と、（iv）上記の式（２）に基づいて得られるハルトマンプレート１１１上の座標とスクリーン１１２上の座標との対応関係と、に基づいて、ＣＣＤ１１５の受光面上の座標と被検レンズＬの裏面の座標との対応関係を求める。
【００６５】
なお、（ii）に示す対応関係と式（１）及び式（２）とは、表示サイズ変更用の情報（表示サイズ変更情報３１）として、例えばプログラム格納部３０内の制御プログラムに含まれている。
【００６６】
ここで、表示サイズ変更情報３１を格納するプログラム格納部３０等は、本発明の「格納手段」を構成する。また、（ii）に示す対応関係は本発明の「第１の対応関係情報」に相当し、（iii）に示す対応関係は本発明の「第２の対応関係情報」に相当し、（iv）に示す対応関係は本発明の「第３の対応関係情報」に相当している。
【００６７】
ＣＣＤ１１５上の座標と被検レンズＬ上の座標との対応関係は、（ｉ）からも分かるように、被検レンズＬのプリズム値に依存するものであるから、測定の度毎に求める必要がある。ただし、被検レンズのプリズム値が既知である場合には、そのプリズム値を入力するように構成することができる。また、一度測定したプリズム値を参照可能に保存して将来の測定時に使用するように構成することもできる。
【００６８】
続いて、表示サイズ変更部２５は、（ｉ）〜（iv）から求めたＣＣＤ１１５上の座標と被検レンズＬ上の座標との対応関係を用いて、ＣＣＤ１１５における多数の測定光のそれぞれの受光位置の座標を、被検レンズＬにおける測定位置に対応する座標に変更する。例えば、多数の測定光のうちの任意の測定光の受光位置の座標について、当該測定光が透過した被検レンズＬ上の位置（つまり測定位置）の座標を求め、更に、被検レンズＬの影響が無いときに当該測定位置を透過した測定光がＣＣＤ１１５に受光される座標を求める。そして、当該測定光の受光位置の座標を、この求められた座標に変更する。また、マッピング画像における被検レンズＬのエッジについても、求めた対応関係を用いて同様に座標を変更する。
【００６９】
多数の測定光の間の距離を被検レンズＬにおける測定位置間の距離に合わせるように、測定光の受光位置の座標を変更するようにしてもよい。
【００７０】
ここで、多数の測定光の全ての座標を変更する代わりに、マッピング画像の等度数線が形成される受光位置の測定光についてのみ、その座標を変更するようにしてもよい。それにより、座標変更処理の演算量を減少でき、処理時間の短縮を図ることができる。
【００７１】
更に、表示サイズ変更部２５は、上述のようにして変更された測定光の受光位置の座標を用いて、マッピング画像の画像データにおける各等度数線の表示サイズを変更する。それにより、マッピング画像の表示サイズが被検レンズＬと同等のサイズに変更される。
【００７２】
ここで、表示サイズ変更部２５により求められた被検レンズＬの表示サイズを表す情報を、制御部２１によってメモリ（図示せず）等に記憶するようにしてもよい。また、表示サイズが変更されたマッピング画像の画像データを画像記憶部４０等に記憶するように構成することもできる。
【００７３】
表示制御部２３は、表示サイズが変更されたマッピング画像の画像データを表示信号として表示部３に送信する。表示部３は、この表示信号に基づいて、被検レンズＬの光学特性値の分布を表すマッピング画像を表示する。当該マッピング画像は、被検レンズＬと同等のサイズにて表示される。
【００７４】
表示サイズ変更部２５による処理の変形例として、（ｉ）〜（iv）より求めたＣＣＤ１１５上の座標と被検レンズＬ上の座標との対応関係を用いて、被検レンズＬ上における像のサイズと、この像がＣＣＤ１１５に投影されたときのその投影像のサイズとの対応関係（倍率）を算出し、マッピング形成部２４により形成されたマッピング画像を当該倍率にて拡大又は縮小することによって、マッピング画像の表示サイズを被検レンズＬの実際のサイズに合わせてもよい。
【００７５】
［作用、効果］
以上のような本実施形態のレンズメータ１によれば、図５に示すようなマッピング画像Ｇが表示部３の表示画面３ａに表示される。このマッピング画像Ｇは、表示サイズ変更部２５による表示サイズ変更処理により、被検レンズＬの実際のサイズと同等のサイズにて表示される。なお、図５のマッピング画像Ｇにおいて、符号Ｇａは遠用部の位置を表し、符号Ｇｂは近用部の位置を表し、符号Ｇｃは累進帯における円柱度数の変化の状態（等度数線）を表している。また、符号Ｌ′は被検レンズＬのエッジを表し、この被検レンズＬと同等のサイズ（同図では直径）にて表示される。
【００７６】
それにより、表示画面３ａ上のマッピング画像Ｇに被検レンズＬを重ねるようにして配置させることで、被検レンズＬのどの部分に遠用部、近用部、累進帯が形成されているかを知ることができ、また、累進帯における度数の変化を知ることができる。したがって、本実施形態のレンズメータ１によれば、被検レンズＬの光学特性分布を容易に把握することが可能となる。
【００７７】
〈第２の実施形態〉
本発明に係るレンズメータの他の実施形態について説明する。本実施形態のレンズメータは、被検レンズの光学特性値の測定結果（光学特性の測定値やマッピング画像等）などを印刷出力する機能を有している。このような印刷機能を有するレンズメータとしては、例えば、本出願人による特開２０００−４６６８９号公報などに開示されている。
【００７８】
本実施形態のレンズメータは、上述の第１の実施形態と同様の外観構成及び光学的構成を有している。以下、図１、２に示した外観構成及び光学系の構成を適宜参照しつつ、本実施形態のレンズメータの説明を行う。
【００７９】
図６は、本発明の第２の実施形態のレンズメータ１′の制御系の構成を表している。このレンズメータ１′は、第１の実施形態と同様に、ＣＰＵ２０′、プログラム格納部３０、画像記憶部４０などを含んで構成される。
【００８０】
また、レンズメータ１′は、被検レンズＬの光学特性値の測定結果などの印刷画像を出力する印刷部５０を備えている。この印刷部５０は、例えば本体２の側面等に設けられる。図示は省略するが、印刷部５０には、印刷用紙上に印刷画像を形成する画像形成手段、印刷用紙を例えばロール状に収納する用紙収納手段、この印刷用紙を画像形成手段に供給する用紙供給手段などを含んで構成されている。なお、印刷部５０は、専用ケーブルやＵＳＢ（Ｕｎｉｖｅｒｓａｌ  Ｓｅｒｉａｌ  Ｂｕｓ）等のインターフェイスを介して本体２に外付けするように構成されていてもよい。この印刷部５０は、本発明にいう「印刷手段」を構成している。
【００８１】
ＣＰＵ２０′は、プログラム格納部３０に格納された制御プログラムを例えばＲＡＭ上に展開することにより、制御部２１、光学特性演算部２２、表示制御部２３′及び印刷制御部２６として作用する。
【００８２】
本実施形態の制御部２１と光学特性演算部２２は、それぞれ、第１の実施形態と同様に動作する。また、本実施形態の表示制御部２３′は、第１の実施形態と同様に被検レンズＬの光学特性のマッピング画像を形成するマッピング形成部２４を備えているが、マッピング画像の表示サイズを変更する表示サイズ変更部を備えている必要はない（もちろん備えていてもよい）。
【００８３】
印刷制御部２６は、表示制御部２３′のマッピング形成部２４により形成されたマッピング画像の印刷画像を印刷部５０にて印刷出力させるための制御を行う。より具体的には、印刷制御部２６は、マッピング形成部２４により形成された表示用フォーマットのマッピング画像を印刷用のフォーマットに変換し、印刷信号として印刷部５０に送信する処理を行う。印刷部５０は、印刷制御部２６からの印刷信号に基づいて、マッピング画像の印刷画像を出力する。
【００８４】
印刷制御部２６には、印刷部５０による印刷画像のサイズを変更する印刷サイズ変更部２７が設けられている。この印刷サイズ変更部２７は、マッピング形成部２４により形成されたマッピング画像の印刷画像のサイズを、被検レンズＬの実際のサイズに合わせるように変更する処理を行う。
【００８５】
印刷サイズ変更部２７は、本発明にいう「印刷サイズ変更手段」を構成するものであり、第１の実施形態の表示サイズ変更部２５と同様に、（ｉ）光学特性演算部２２により算出される被検レンズＬの各測定位置におけるプリズム値、及び、ＣＣＤ１１５の受光面上における各測定光の受光位置の座標と、（ii）ＣＣＤ１１５の受光面上の座標とスクリーン１１２上の座標の既知の対応関係と、（iii）上記の式（１）に基づいて得られる被検レンズＬの裏面の座標とハルトマンプレート１１１上の座標との対応関係と、（iv）上記の式（２）に基づいて得られるハルトマンプレート１１１上の座標とスクリーン１１２上の座標との対応関係と、に基づいて、ＣＣＤ１１５の受光面上の座標と被検レンズＬの裏面の座標との対応関係を求める。
【００８６】
なお、（ii）に示す座標の対応関係と、式（１）、式（２）は、印刷サイズ変更用の情報（印刷サイズ変更情報３２）として、例えばプログラム格納部３０内の制御プログラムに含まれている。
【００８７】
ここで、印刷サイズ変更情報３２を格納するプログラム格納部３０等は、本発明の「格納手段」を構成する。また、（ii）に示す対応関係は本発明の「第１の対応関係情報」に相当し、（iii）に示す対応関係は本発明の「第２の対応関係情報」に相当し、（iv）に示す対応関係は本発明の「第３の対応関係情報」に相当している。
【００８８】
続いて、印刷サイズ変更部２７は、第１の実施形態と同様に、（ｉ）〜（iv）から求めたＣＣＤ１１５上の座標と被検レンズＬ上の座標との対応関係を用いて、ＣＣＤ１１５における多数の測定光のそれぞれの受光位置の座標を、被検レンズＬにおける測定位置に対応する座標に変更する。また、マッピング画像における被検レンズＬのエッジについても、求めた対応関係を用いて同様に座標を変更する。
【００８９】
ここで、多数の測定光の全ての座標を変更する代わりに、マッピング画像の等度数線が形成される受光位置の測定光についてのみ座標を変更するようにして、処理時間の短縮を図ってもよい。
【００９０】
更に、印刷サイズ変更部２７は、変更された測定光の受光位置の座標を用いて、マッピング画像の画像データにおける各等度数線の印刷サイズを変更する。それにより、マッピング画像の印刷サイズが被検レンズＬと同等のサイズに変更される。
【００９１】
なお、印刷サイズ変更部２７による処理の変形例として、（ｉ）〜（iv）より求めたＣＣＤ１１５上の座標と被検レンズＬ上の座標との対応関係を用いて、被検レンズＬ上における像のサイズと、この像がＣＣＤ１１５に投影されたときのその投影像のサイズとの対応関係（倍率）を算出し、マッピング形成部２４により形成されたマッピング画像を当該倍率にて拡大又は縮小することによって、マッピング画像の印刷サイズを被検レンズＬの実際のサイズに合わせてもよい。
【００９２】
印刷サイズ変更部２７により求められた被検レンズＬの印刷サイズを表す情報を、制御部２１によってメモリ（図示せず）等に記憶するようにしてもよい。また、印刷サイズが変更されたマッピング画像の画像データを画像記憶部４０等に記憶するように構成することもできる。
【００９３】
印刷制御部２６は、印刷サイズ変更部２７によりサイズ変更されたマッピング画像の印刷画像データを印刷信号として印刷部５０に送信する。印刷部５０は、被検レンズＬの光学特性分布を表すマッピング画像を、被検レンズＬと同等のサイズにて印刷用紙上に出力する。
【００９４】
以上のような本実施形態のレンズメータ１′によれば、図５に示したようなマッピング画像Ｇが印刷用紙上に印刷される。このマッピング画像Ｇは、印刷サイズ変更部２７による印刷サイズ変更処理により、被検レンズＬの実際のサイズと同等のサイズにて印刷される。
【００９５】
それにより、印刷されたマッピング画像Ｇ上に被検レンズＬを重ねてその光学特性分布を確認することにより、被検レンズＬのどの部分に遠用部、近用部、累進帯が形成されているかを知ることができ、また、累進帯における度数の変化を知ることができる。したがって、本実施形態のレンズメータ１′によれば、被検レンズＬの光学特性分布を容易に把握することが可能となる。
【００９６】
〈第３の実施形態〉
本発明に係るレンズメータの更に他の実施形態について説明する。本実施形態は、例えば眼鏡フレームに装着（枠入れ）された左右の眼鏡レンズなど、左右一対からなる被検レンズの光学特性値を測定する場合に好適に利用可能なレンズメータに関する。
【００９７】
本実施形態のレンズメータは、上述の第１、２の実施形態と同様の外観構成及び光学的構成を有している。以下、図１、２に示した外観構成及び光学系の構成を適宜参照しつつ、本実施形態のレンズメータの説明を行う。
【００９８】
なお、本実施形態の構成は、光学特性測定用の光学系（照明光学系１００及び受光光学系２００）を左右一対備えるタイプのレンズメータ（例えば、上記の特許文献２を参照）にも良好に適用される。その場合、測定時における左右の眼鏡レンズの左右の配置はあらかじめ決定されているので、図１に示した位置検出センサ９ｂや、後述の左右判別部２８を設ける必要はない。また、被検レンズの左右の別を入力するためのボタンやキー等の入力手段を設け、その入力内容により被検レンズの左右を判別するように構成される場合についても、左右判別部２８は不要である。
【００９９】
さて、図７は、本発明の第３の実施形態のレンズメータ１″の制御系の構成を表している。このレンズメータ１″は、第１、２の実施形態と同様に、ＣＰＵ２０″、プログラム格納部３０、画像記憶部４０などを含んで構成される。
【０１００】
レンズメータ１″には、水平方向に移動可能に支持されたスライダ９ａが設けられている（図１参照）。このスライダ９ａの先端には、被検レンズＬが装着された眼鏡フレームの鼻当てを支持する鼻当て支持部材９が接続されている。上述したように、眼鏡フレームに装着された被検レンズＬの測定時には、スライダ９ａを左右に移動させて被検レンズＬをレンズ支持部１３ｂに配置させる必要がある。
【０１０１】
図７のブロック図に示すように、レンズメータ１″には、スライダ９ａが配置する位置、つまりスライダ９ａの左右への移動量を検出する位置検出センサ９ｂが設けられている。この位置検出センサ９ｂには、ポテンショメータやリニアセンサ等を用いることができる。位置検出センサ９ｂは、例えば中央位置（レンズ支持部１３ｂの後方位置）を原点、すなわち座標値０とし、装置前面に向かって右方向を「＋」の座標値、左方向を「−」の座標値としてスライダ９ａの位置を検出するとともに、検出された座標値を位置検出信号としてＣＰＵ２０″に送信するようになっている。座標値は、例えば１ミリメートル単位とされている。また、座標値の原点は任意の位置とすることができる。
【０１０２】
また、レンズメータ１″には、左右の眼鏡レンズに対応する瞳孔間距離を入力するためのＰＤ入力部６０が設けられている。このＰＤ入力部６０は、本発明にいう「ＰＤ入力手段」を構成している。ここで、「左右被検眼に対応する瞳孔間距離」とは、当該眼鏡の装用者の瞳孔間距離と、左右の眼鏡レンズの各アイポイント間の距離とを含んでいると解する。以下、瞳孔間距離を「ＰＤ」と、アイポイント間の距離を「ＥＰＤ」とそれぞれ略称することがある。ＰＤやＥＰＤは、遠用及び近用のいずれかの値あるいは双方の値が入力される。ＰＤ入力部６０からの入力信号をＰＤ入力信号と呼ぶこととする。
【０１０３】
なお、アイポイント（ＥＰ）とは、眼鏡を装用したときに装用者の視線が通過する眼鏡レンズ上の位置を示すものである。以下、ＰＤを入力する場合もＥＰＤを入力する場合も同様であるので、主としてＰＤを入力する場合について説明する。
【０１０４】
このようなＰＤ入力部６０としては、例えば次のような第１〜３の形態を適用することができる。なお、本実施形態のＰＤ入力部６０としては、何らかの手法で取得されたＰＤ（ＥＰＤ）を入力する作用を有するものであれば、その構成は問わない。
【０１０５】
ＰＤ入力部６０の第１の形態は、レンズメータ１″を操作してＰＤ（ＥＰＤ）を入力するためのものであり、例えば、図１に示す測定ボタン１１の左側のボタン（群）をＰＤ入力部６０とすることができる。その場合、オペレータは、このボタン（群）からなるＰＤ入力部６０を操作して、あらかじめ取得されたＰＤ（ＥＰＤ）を手入力する。
【０１０６】
ＰＤ入力部６０の第２の形態としては、レンズメータ１″が電子カルテ管理システム等のコンピュータにＬＡＮ等のネットワークにより接続されている場合において、電子カルテ等に記載されたＰＤ（ＥＰＤ）を当該コンピュータを介して入力する構成を採用することができる。その場合のＰＤ入力部６０は、当該コンピュータとの間でデータ通信（ＰＤの受信を含む）を行う通信インターフェイスと、被検レンズの測定時にこの通信インターフェイスを介してＰＤ（ＥＰＤ）の入力を要求する制御信号を上記コンピュータに送信する制御部２１とを含んで構成される。上記コンピュータは、制御部２１からの制御信号に基づき当該被検者の電子カルテを検索し、その電子カルテからＰＤ（ＥＰＤ）を取得してレンズメータ１″に送信する。なお、ＰＤ（ＥＰＤ）の入力要求を行うための操作ボタン等を設け、それが操作されたことに対応して上記コンピュータに制御信号を送信するようにしてもよい。
【０１０７】
また、ＰＤ入力部６０の第３の形態は、ＰＤ（ＥＰＤ）測定機能を有するレンズメータ１″を使用するものである。レンズメータによるＰＤやＥＰＤの測定手法については、例えば、本出願人による特開平５−３４６３７１号公報や特開２００２−１８１６６２号公報などに詳述されている。この第３の形態におけるＰＤ入力部６０は、ＰＤ（ＥＰＤ）を測定してその測定値をＣＰＵ２０に入力するＰＤ測定手段を含んで構成される。
【０１０８】
ＣＰＵ２０″は、第１、２の実施形態と同様の制御部２１と光学特性演算部２２を備えている。また、ＣＰＵ２０″には、左右判別部２８が設けられている。更に、ＣＰＵ２０″の表示制御部２３″は、第１の実施形態と同様のマッピング形成部２４及び表示サイズ変更部２５とともに、左右画像配列部２９を備えている。
【０１０９】
左右判別部２８は、位置検出センサ９ｂから送信された位置検出信号に基づいて、被検レンズＬが眼鏡フレームの左右いずれの枠に装着されているか、すなわち、被検レンズＬが被検者の左右どちらの眼に適用されるレンズであるか、を判別する処理を行う。左右判別部２８は、例えば、位置検出信号の示す座標値が「＋」である場合には当該被検レンズＬは「左」のレンズと判別し、「−」である場合には「右」のレンズと判別する。
【０１１０】
なお、座標値の「＋」、「−」と、レンズの「左」、「右」との対応関係は、測定時における眼鏡フレームの配置の向きによって決定されるが、装置マニュアル等により常に同じ向きに眼鏡フレームを配置するように指示することにより、当該対応関係は一義的に定まる。左右判別部２８は、この定められた対応関係に則して、位置検出信号から被検レンズＬの左右を判別するようになっている。
【０１１１】
ＣＰＵ２０″の表示制御部２３″は、第１の実施形態と同様に、表示部３における各種画像の表示制御を行うものであり、被検レンズＬの光学特性値の分布を表すマッピング画像を形成するマッピング形成部２４と、当該マッピング画像の表示部３における表示サイズを被検レンズＬの実際のサイズに合わせるように変更する表示サイズ変更部２５とを含んでいる。また、本実施形態の表示制御部２３″は、左右の眼鏡レンズのマッピング画像を配列表示させるときの配列を決定する左右画像配列部２９を備えている。
【０１１２】
マッピング形成部２４により形成されたマッピング画像は、制御部２１によって、左右判別部２８による被検レンズＬの判別結果と関連付けられて画像記憶部４０に保存される。また、表示サイズ変更部２５によりサイズ変更されたマッピング画像は、制御部２１によって、左右判別部２８による被検レンズＬの判別結果と関連付けられて画像記憶部４０に保存される。
【０１１３】
左右画像配列部２９は、表示サイズ変更部２５によりサイズ変更された左右のマッピング画像を、ＰＤ入力部６０から入力されたＰＤ（ＥＰＤ）に応じた距離を介して配列させた画像データを形成する。より詳しく説明すると、遠用ＰＤを用いる場合、左右画像配列部２９は、まず、表示サイズ変更部２５により形成された左右のマッピング画像のそれぞれについて装用者の瞳孔に対応する位置（座標）を求める。当該瞳孔対応位置としては遠用アイポイント位置を用いることができる。そして、左右の遠用アイポイント位置が、ＰＤ入力部６０からのＰＤ入力信号が示す遠用ＰＤと一致するように左右のマッピング画像を配列させた画像データを形成する。近用ＰＤを用いる場合も同様である。また、遠用／近用のＥＰＤを用いる場合についても、左右のマッピング画像を配列させた画像データを同様にして形成できる。この左右画像配列部２９は、本発明にいう「左右画像配列手段」を構成している。
【０１１４】
表示制御部２３は、左右画像配列部２９により形成された左右のマッピング画像が配列された画像データを表示信号として表示部３に送信する。それにより、表示部３には、当該眼鏡フレームに装着された左右の眼鏡レンズの光学特性値の分布を表すマッピング画像が、これら眼鏡レンズと同等のサイズで左右に並列して表示される。更に、左右のマッピング画像の間隔は、左右の眼鏡レンズの実際の間隔とほぼ等しくなるように表示されることとなる。
【０１１５】
このように、本実施形態のレンズメータ１″によれば、眼鏡フレームに装着された左右の眼鏡レンズの光学特性値をそれぞれ測定することにより、これらの眼鏡レンズの光学特性分布を表すマッピング画像が、ほぼ実物大で、かつ、実際と同等の間隔を介して表示される。
【０１１６】
図８は、レンズメータ１″により表示されるマッピング画像を用いた眼鏡レンズの光学特性分布の確認手法の一例を示す。同図は、眼鏡Ｍに装着された左右の眼鏡レンズＬＬ、ＬＲをレンズメータ１″で測定したときの表示態様を表している。表示部３の表示画面３ａには、左の眼鏡レンズＬＬの光学特性分布を表すマッピング画像ＧＬと、右の眼鏡レンズＬＲの光学特性分布を表すマッピング画像ＧＲとが左右に並んで表示される。左右のマッピング画像は、実物と同等のサイズで表示され、更に、実際と同等の間隔を介して表示されている。
【０１１７】
それにより、オペレータ等は、表示画面３ａ上の左右のマッピング画像ＧＬ、ＧＲに対し、眼鏡Ｍの左右の眼鏡レンズＬＬ、ＬＲを重ねるように配置させることで、各眼鏡レンズＬＬ、ＬＲの光学特性分布を容易に把握することが可能となる。本実施形態においては、左右の眼鏡レンズＬＬ、ＬＲの光学特性分布を同時に把握できるため、実用上の利便性が向上される。
【０１１８】
また、第２の実施形態のように印刷機能を有するレンズメータに本実施形態の構成を適用することにより、左右の眼鏡レンズのマッピング画像が実物と同等サイズでかつ同等の間隔を介して配列された印刷画像を出力することができる。そのような印刷画像に実際の眼鏡を重ねて配置させることにより、当該眼鏡の左右の眼鏡レンズの光学特性分布を容易にかつ同時に把握することができる。
【０１１９】
［各種変形例］
以上において詳述した構成は、本発明のレンズメータを実施するための一例に過ぎないものであり、したがって、本発明の要旨の範囲内において適宜変形を施すことが可能である。
【０１２０】
例えば、上記の第３の実施形態の説明中でも簡単に触れたが、本発明のレンズメータは、光学特性測定用の光学系を左右一対備えるタイプのものであってもよい。その際、測定光を受光するＣＣＤは、上記特許文献２の実施形態と同様に左右の光学系に共通に設けてもよいし、左右の光学系のそれぞれについて個別に設けてもよい。
【０１２１】
本発明のレンズメータにより表示又は印刷されるマッピング画像の表示態様は、被検レンズの光学特性分布を等度数線で表すものには限定されず、特許文献１のようなバー表示やワイヤフレーム表示など、被検レンズの光学特性分布を好適に表現することが可能な任意の表示態様を適用することができる。
【０１２２】
表示又は印刷されるマッピング画像のサイズを被検レンズの実際のサイズに合わせるための手法としては、上述のような式（１）、式（２）を用いたもの以外の任意の手法を用いることができる。例えば、被検レンズのサイズを実測する手段を設け、その測定結果に表示（印刷）サイズを合わせ込むようにしてもよい。また、被検レンズのサイズ（直径、縦方向の長さ、横方向の長さ等）を入力する手段を設け、その入力内容に応じて表示（印刷）サイズを変更するように構成することもできる。また、型番などレンズの識別情報とレンズのサイズ情報とを関連付ける情報をあらかじめ記憶しておき、入力された識別情報に対応するサイズを検索することによって被検レンズのサイズを取得するように構成することもできる。
【０１２３】
被検レンズの形状が加工されている場合には、その形状を測定又は入力する手段を設け、表示（印刷）されるマッピング画像の外形を当該被検レンズの形状に合わせるようにしてもよい。ここで、被検レンズの形状は、例えば眼鏡フレームの形状を参照して確認することができる。
【図面の簡単な説明】
【０１２４】
【図１】本発明に係るレンズメータの実施形態の外観構成の一例を表す概略斜視図である。
【図２】本発明に係るレンズメータの実施形態が有する光学系の構成の一例を表す光学配置図である。
【図３】本発明に係るレンズメータの実施形態が有する光学系に含まれるハルトマンプレートの構成の一例を表す概略上面図である。
【図４】本発明に係るレンズメータの実施形態の制御系の構成の一例を表すブロック図である。
【図５】本発明に係るレンズメータにより表示される被検レンズの光学特性値のマッピング画像の一例を表す概略図である。
【図６】本発明に係るレンズメータの他の実施形態の制御系の構成を表すブロック図である。
【図７】本発明に係るレンズメータの更に他の実施形態の制御系の構成を表すブロック図である。
【図８】本発明に係るレンズメータにより表示される被検レンズの光学特性値のマッピング画像の一例を表す概略図である。
【符号の説明】
【０１２５】
１、１′、１″  レンズメータ
２  本体
３  表示部
３ａ  表示画面
４、５  光学部材収納部
６  レンズ受けテーブル
７  レンズ当て
８  操作レバー
９  鼻当て支持部材
９ａ  スライダ
９ｂ  位置検出センサ
１０  モード切換ボタン
１１  測定ボタン
１３  レンズ受け
１３ａ  透明板
１３ｂ  レンズ支持部
２０  ＣＰＵ
２１  制御部
２２  光学特性演算部
２３、２３′、２３″  表示制御部
２４  マッピング形成部
２５  表示サイズ変更部
２６  印刷変換部
２７  印刷サイズ変換部
２８  左右判別部
２９  左右画像配列部
３０  プログラム格納部
３１  表示サイズ変更情報
３２  印刷サイズ変更情報
４０  画像記憶部
５０  印刷部
６０  ＰＤ入力部
１００  照明光学系
１０１  ＬＥＤ
１０２  コリメータレンズ
１１０  受光光学系
１１１  ハルトマンプレート
１１１ａ  開口部
１１２  スクリーン
１１３  フィールドレンズ
１１４  結像レンズ
１１５  ＣＣＤ
Ｇ、ＧＬ、ＧＲ  マッピング画像
Ｌ、ＬＬ、ＬＲ  被検レンズ
Ｍ  眼鏡
【図１】
2006105868.tif 000005
【図２】
2006105868.tif 000006
【図３】
2006105868.tif 000007
【図４】
2006105868.tif 000008
【図５】
2006105868.tif 000009
【図６】
2006105868.tif 000010
【図７】
2006105868.tif 000011
【図８】
2006105868.tif 000012